(57)【要約】  本デバイスは、ウェブ３から切り抜かれた柔軟な包装製品４、より具体的には包装袋を、不用部分５から分離する働きをする。この目的のために、ウェブ３を搬送経路２に沿って搬送するための搬送デバイス１と、ウェブ３から包装製品４を切り抜くためのワークステーション８とが設けられる。搬送デバイス１は、包装製品４及び不用部分５を選択的に保持及び解放するための手段１４、２３を備える。更なるワークステーション９から１２が搬送経路２に沿って配置され、更なるワークステーション９から１２のうちの少なくとも１つは、搬送デバイス１上に置かれた包装製品４及び不用部分５をそれぞれ選択的に取り上げるための手段を備える。従って、包装製品４及び不用部分５の両方が、それらのために意図された容器内に下ろされるまで常に保持され且つ決して無制御状態にはならないことが、達成される。
2017524567.tif 000002
【特許請求の範囲】
【請求項１】
ウェブ（３）から柔軟な包装製品（４）、より具体的には包装袋を切り抜くためのデバイスであって、
前記デバイスが、前記ウェブ（３）を搬送経路（２）に沿って搬送するための搬送デバイス（１）と、前記ウェブ（３）から前記包装製品（４）を切り抜くためのワークステーション（８）とを備え、
前記搬送デバイス（１）が、前記搬送デバイス（１）上の包装製品（４）及び不用部分（５）を選択的に保持及び解放するための手段（１４、２３；１５）を備え、更なるワークステーション（９から１２）が、前記搬送経路（２）に沿って配置され、前記更なるワークステーション（９から１２）のうちの少なくとも１つが、前記搬送デバイス（１）上に配置された包装製品（４）及び不用部分（５）をそれぞれ選択的に取り上げるための手段を備えることを特徴とする、デバイス。
【請求項２】
前記搬送デバイス（１）が、帯コンベヤとして設計されていることを特徴とする、請求項１に記載のデバイス。
【請求項３】
前記搬送デバイス（１）が、回転ドラムとして設計されていることを特徴とする、請求項１に記載のデバイス。
【請求項４】
前記搬送デバイス（１）上の包装製品（４）及び不用部分（５）を選択的に保持及び解放するための前記手段が、吸込み手段（１４、２３；１５）として設計されていることを特徴とする、請求項１から３までのいずれか一項に記載のデバイス。
【請求項５】
前記搬送デバイス（１）上に配置された包装製品（４）又は不用部分（５）をそれぞれ選択的に取り上げるための前記手段が、吸込み手段として設計されていることを特徴とする、請求項１から４までのいずれか一項に記載のデバイス。
【請求項６】
前記搬送デバイス（１）が、搬送チェーンとして設計されていることを特徴とする、請求項１に記載のデバイス。
【請求項７】
前記搬送デバイス（１）上の包装製品（４）及び不用部分（５）を選択的に保持及び解放するための前記手段が、把持手段として、又は前記包装製品（４）及び不用部分（５）を穿孔するための針として設計されていることを特徴とする、請求項６に記載のデバイス。
【請求項８】
前記搬送デバイス（１）上に配置された包装製品（４）及び不用部分（５）をそれぞれ選択的に取り上げるための前記手段が、把持手段として、又は前記包装製品（４）及び不用部分（５）を穿孔するための針として設計されていることを特徴とする、請求項６又は７に記載のデバイス。
【請求項９】
前記ワークステーション（８）及び前記更なるワークステーション（９から１２）が、前記搬送経路（２）に向かって及び前記搬送経路（２）から離れて移動可能であることを特徴とする、請求項１から８までのいずれか一項に記載のデバイス。
【請求項１０】
請求項１から９までのいずれか一項に記載のデバイスを操作するための方法であって、前記搬送デバイス（１）上に配置された各包装製品（４）及び各不用部分（５）が、その特定の包装製品（４）又は不用部分（５）を選択的に取り上げるための対応する手段が作動されるときに、それぞれの選択的に保持及び解放するための前記手段（１４、２３；１５）によって解放のみされることを特徴とする、方法。
【発明の詳細な説明】
【技術分野】
【０００１】
本発明は、請求項１の前提部分に記載のデバイスに関する。
【背景技術】
【０００２】
ウェブ形状の薄膜材料から包装製品を切り抜くための、様々な打抜き及び切断の方法が知られている。手順的に簡単な事例では、包装製品はウェブから切り抜かれ、残りの格子形状の不用部分は巻き上げられる。しかし、適用される打抜き又は切断の方法において、及び／又は包装製品の本質、より具体的には包装製品の外形に起因して、格子として巻き上げることができない不用部分が作られる場合には、自動的な分離は、以下の理由から実質的により困難になる。
【０００３】
不用部分を機械的に拭い取り、次いでそれらの不用部分を容器内に落とすか又は吸込みによって除去することが、当技術分野で知られている。しかし、特に軽量の薄膜材料の場合、この方法は、静電荷により不用部分が長距離にわたって無制御の状態で飛び、その結果、それらの不用部分がどこかに付着して、製造工程を乱し、包装製品の品質を危うくし、又は製造設備に損害を与えすらする可能性があるので、確実には機能しない。最悪の場合、薄膜の切れ端が、包装製品の中に入り込む可能性があり、また、食料品パッケージの場合には、消費者を危険にさらす可能性がある。同様の問題は、薄膜材料の滑り易さが極端に又は非常に低い場合に生じる。結果的に、現在の包装製品製造設備においては、もつれた不用部分の集積を取り除くために、人員による費用のかかる工程制御が必要とされている。
【０００４】
しかし、包装製品の自動的な取扱いもまた、特に包装製品が注ぎ口などの溶接部品（weld-in part）を備えた包装袋である場合には、既知の製造方法では、かなりの問題をはらむ。そのような包装袋が切り抜かれた後で解放され、例えば落とされる場合、定められたそれらの向き及び配列を、更なる加工、例えばパッケージングのために復元することは、非常に困難である。
【０００５】
結局のところ、２種類の切断製品、即ち包装製品及び不用部分を超える種類の切断製品を自動的に且つ高い信頼性で取り扱うことは、既知の製造工程では非常に困難である。これら２種類の切断製品に加えて、例えば欠陥のない包装製品、欠陥のない包装製品、管理目的のために選択された包装製品、及び場合により様々なタイプの不用部分を、定められた場所に自動的に置くことが可能であることが、望ましいはずである。現在のところ、それらの部品が一時的に解放されない方法は知られておらず、この場合、上述の問題が生じ得る。
【発明の概要】
【発明が解決しようとする課題】
【０００６】
この従来技術の背景に基づき、本発明の目的は、不用部分又は包装製品の無制御の動きによる製造設備及び包装製品に対する妨害及び損害が確実に回避される、ウェブから包装製品を切り抜くための方法を提案することである。
【課題を解決するための手段】
【０００７】
本発明によれば、この目的は、請求項１の特徴部分で定義された特徴によって達成される。
【０００８】
具体的には、本発明の解決法は、選択的保持及び解放手段、並びに選択的取上げ手段が、包装製品及び不用部分が誤って落とされず、むしろそれらの部品が制御された態様で配置場所まで運ばれ得るように制御され得るという利点を提供する。さらに、特に包装製品は、選択的取上げ手段により定められた向きに置かれるか、又は、更なる工程のために、例えば充填されるために前進され得る。全体として、本発明は、完全に自動化され迅速で安価な包装製品の製造を可能にするとともに、製造するのが簡単で且つ安価なデバイスをもたらす。
【０００９】
本発明の具体的な実施例は、従属請求項で説明される。
【００１０】
本発明はまた、本デバイスを操作するための方法に関する。
【００１１】
本発明の例示的な実施例について、添付の図面を参照しながら以下に説明する。
【図面の簡単な説明】
【００１２】
【図１】本発明のデバイスの第１の例示的な実施例の斜視概略図である。
【図２】本発明のデバイスの第２の例示的な実施例の斜視概略図である。
【図３】図２と比べて拡大した、図２の細部の図である。
【発明を実施するための形態】
【００１３】
本発明の主要な要素は搬送デバイス１にあり、この搬送デバイス１は、図１による例示的な実施例では、継目なし搬送ベルト１として設計されている。搬送デバイス１は、以下で説明される手段を備えており、その手段により、薄膜材料のウェブ３から作られた包装製品４、及び不用部分５が、搬送デバイス１上に保持されて搬送経路２に沿って搬送される。ウェブ３は、例えば、互いに溶接される重なり合った２枚の合成材料の薄膜層から成る。部分的な溶接継手が、包装製品、例えば液体用の包装袋の輪郭を描く。図１では、ウェブ３は、３個ずつ製造する運用で使用されており、即ち、一度に３つの包装製品４がウェブ３上に並んで配置される。ウェブ３は、供給ロールから供給されるか、又は包装製品４のための製造設備から直接引き継がれてもよく、場合により緩衝セグメントが挿入され得るが、緩衝セグメントはそれ自体が知られており、本発明の目的ではない。示された例示的な実施例では、供給ローラ対６が、ウェブを区間毎に搬送デバイス１に供給し、各区間は、ウェブ３から切刃７によって切り離される前に、保持される。
【００１４】
帯コンベヤ上の包装製品４及び不用部分５を選択的に保持するために、包装製品４及び不用部分５の反対側の帯コンベヤの表面上の搬送経路２の区間内に、真空チャンバ１４が配置される。帯コンベヤにある吸込み口を通じて、包装製品４及び不用部分５は吸引され、従って帯コンベヤ上に保持される。基本的に、帯コンベヤは、気密であり且つ偏向ローラ１３上を案内されるのに十分に柔軟な、任意の材料から成り得る。優先的には、帯コンベヤは、薄鋼板材料から成る。帯コンベヤを駆動するために、偏向ローラ１３のうちの１つは、例えば、示されていないモータを備えていてもよい。偏向ローラ１３、及び帯コンベヤの駆動装置は、破線で示された境界２４によって例示されているように、真空チャンバ１４の外側に配置される。
【００１５】
図示された実例では、５つのワークステーション８から１２が、図１における搬送経路２に沿って、帯コンベヤの上部ストランドの上方に配置される。それらのワークステーションの中でもワークステーション８は、包装製品４をウェブ３から切り抜く切断ステーションである。従って、対応する凹部が、包装製品４の輪郭線に沿って帯コンベヤに設けられ、また、帯コンベヤの下には、対応するカウンタ・ツールが、真空チャンバ１４内に配置され得る。包装製品を切り抜くために包装製品の外形に対応する切欠きを帯コンベヤに備えることは、そのような切欠きは大きくなり過ぎるはずであるし、真空を維持できなくするはずであるので、不可能である。しかし、ウェブ３は、予め包装製品４の輪郭線の一部分上に部分的な切り込みを備えていてもよく、又は、追加の切断ステーションが設けられてもよく、その場合、切断ステーション８及び追加の切断ステーションはそれぞれ、それぞれの包装製品に対して部分的な切断を行い、それらの切断は全体で包装製品の全周囲をカバーし、その結果、包装製品は、追加の切断ステーションの後ではもはやウェブ３に接続されていないが、依然として帯コンベヤ上に吸引されている。或いは、包装製品の外形を切り抜くために、帯コンベヤをカウンタ・ツールとして使用する切断ツールをワークステーション８内に配置すると同時に、帯コンベヤが切断ツールの侵入のための凹部を有さないことも可能である。
【００１６】
ワークステーション９は、不用部分５のための除去ステーションとして設計され、このデバイスは、不用部分が除去ステーションの動作の球面内にあり、且つ、除去ステーションが所定の位置に移動されて電源が入れられているときに、不用部分が搬送デバイス１から解放のみされるように、自動的に制御される。このようにして、比較的小さいことが多い不用部分５は、気流又は帯電により飛び去ってどこかに引っかかる恐れがある無制御状態には、決してならない。除去ステーションは、図に示されるように、除去された不用部分５を排出するための管を備えていてもよく、又は、不用部分５を吸引してそれらを帯コンベヤの傍ら又は上方の容器に入れるように設計されていてもよい。
【００１７】
図示された実例では、ワークステーション１０は、正しく作られた包装製品４のための取上げステーションとして設計され、その目的のために、ワークステーション１０はまた、対応する吸込み手段を備え、且つ、取り上げた包装製品４をそのために意図された容器内に置くことができるように設計される。独立した吸込み手段が、複数個ずつ製造される製品の各物品に対して設けられる。この場合でも、制御原理は、包装製品４が取上げステーションの動作の球面内にあり、且つ、取上げステーションが所定の位置に移動されて作動されているときに、包装製品４が搬送デバイス１から解放のみされる、ということに従って適用される。
【００１８】
基本的に、ワークステーション１１及び１２は、前述のワークステーション１０に類似した構造のものであって、それらの目的において異なるだけであり、従ってそれらが制御される態様において異なるだけのものであり得る。従って、例えば、ワークステーション１１は、欠陥のある包装製品４を選別するために使用されてもよく、ワークステーション１２は、検査試料として包装製品４を引き抜くために使用されてもよい。欠陥のある包装製品を選び出すためのワークステーション１１の制御は、先行するワークステーションからの信号、又は先行するワークステーションに統合された検査デバイスからの信号に基づいてもよい。検査試料を選び出すためのワークステーション１２の動作は、デバイスの制御システムにおいてプログラムされてもよく、又は、手動で入力されたオペレータの命令に基づいてもよい。
【００１９】
包装製品４及び不用部分５を搬送デバイス１から選択的に解放するために、図１による例示的な実施例では、帯コンベヤ内の選択された吸込み口をそれぞれ開閉するために、帯コンベヤに向かって及び帯コンベヤから離れて移動可能な制御体２３が、真空チャンバ１４内に配置される。これらの制御体は、対象を絞った態様で包装製品４又は不用部分５を解放するために、包装製品４又は不用部分５の形状及び表面領域に対応し得る。
【００２０】
図２は、本デバイスの別の例示的な実施例を示しており、この図では、図１を参照して前述された例示的な実施例に一致又は対応する構成要素が、同じ参照番号で示されている。この例示的な実施例では、搬送デバイス１は、搬送経路２が円形の経路を描くように、ドラムとして設計される。包装製品４を含むウェブ３が、図の左側に見られ、この場合も同じく供給ローラ対６により、区間毎に搬送デバイス上に供給される。図３を参照して以下に説明するように、ドラムは凹部を備えることができるので、図１による実施例におけるような先行する切刃は、この場合は必要とされない。従って、切断ステーションの形態のワークステーション８が、ウェブ３の区間を切断するためにも包装製品４を切り抜くためにも使用され得る。
【００２１】
円形の搬送経路２に沿って複数のワークステーションが配置されるが、図２にはワークステーション８から１０のみが図示されている。更なるワークステーションがドラムの下方に置かれ得るが、示されていない。真空を利用して包装製品４及び不用部分５をドラム上に選択的に保持するための機能部品が、ドラム内に配置される。これらは、図１を参照して前述したのと同様に動作し得る。しかし、代わりに、示されていない真空ラインが、ドラムの内周上の対応する場所に通じて、ドラムの内側又は外側に配置された、示されていない真空弁によって制御されてもよい。図２には、既知の方法で回転式接続部として設計することができる真空接続部（vacuum connection）１５が、概略的に示されている。
【００２２】
図の右側のワークステーション１０付近に見られるように、ワークステーション１０は、ウェブ３上の複数個ずつ製造される物品、例えば３個の物品のそれぞれに対して、各部分１０を別個に移動させられるように、分割され得る。このことは、図１の例示的な実施例のワークステーションを含めて、述べられる全てのワークステーションに適用される。最後に、欠陥のない包装製品、不完全な包装製品、及び検査試料のための収集容器１６、１７、及び１８が、図２にさらに示されている。
【００２３】
図３は、図２による実施例のドラムの形態をした搬送デバイス１の一区間を、図２に対して拡大して示す。包装製品４、並びに２種類の異なる形状及びサイズの３つの不用部分５が、区間上に配置され、斜線が引かれた領域によって示されている。凹部１９は、包装製品をウェブ３から切り抜く切断ツールが侵入するためのものである。また、包装製品４のための吸込み口２０、及び不用部分５のための更なる吸込み口２１が、図３に見られる。全ての吸込み口２０、２１は、ドラム内の対応する真空ラインに接続され得る。
【００２４】
図１から図３を参照して前述した例示的な実施例では、搬送デバイスは、それぞれ帯コンベヤ又はドラムの形態であり、選択的保持手段及び選択的取上げ手段は、吸込みデバイスの形態である。しかし、本発明はそれらに限定されるものではなく、帯コンベヤは、例えば、幾つかの幅狭な帯コンベヤに分割されるか、又は、１本の搬送チェーンとして若しくは複数本の搬送チェーンとして設計されてもよい。また、選択的保持手段、及び選択的取上げ手段は、包装製品及び不用部分を挟持又は穿孔することによりそれらを保持する、把持手段又は針として設計されてもよい。その場合、述べられた部品の選択的な解放は、それぞれ搬送経路に沿って配置されて把持手段を開くか又は述べられた部品を針から拭い落とす要素によって、達成され得る。
【００２５】
例示的な実施例は、本デバイスの可能な実現形態を示すが、この時点において本発明は図示されたその特定の実施例に限定されないことが、留意されるべきである。むしろ、特定の実施例を参照して説明された個々の構成要素は、例えば、別の実施例で使用されてもよく、また場合により、その実施例を参照して説明された対応する構成要素に取って代わり得る。従って、図示及び説明された実施例の変形の個々の詳細の組合せからもたらされる、全ての想定される実施例の変形もまた、保護範囲に含まれる。
【００２６】
最後に、形式上、本デバイスの構成をより良く理解するために、本デバイス及びその構成要素はそれぞれ、概略的に示されており一定の縮尺で示されてはいないことが、指摘されるべきである。
【符号の説明】
【００２７】
１    搬送デバイス
２    搬送経路
３    ウェブ
４    包装製品
５    不用部分
６    供給ローラ対
７    切刃
８    ワークステーション
９    ワークステーション
１０  ワークステーション
１１  ワークステーション
１２  ワークステーション
１３  偏向ローラ
１４  真空チャンバ
１５  真空接続部
１６  収集容器
１７  収集容器
１８  収集容器
１９  凹部
２０  吸込み口
２１  吸込み口
２２  カウンタ・ツール
２３  制御体
２４  境界
【図１】
2017524567.tif 000003
【図２】
2017524567.tif 000004
【図３】
2017524567.tif 000005
【国際調査報告】
2017524567.tif 000006
2017524567.tif 000007